(57)【要約】【課題】銀塩写真において、フィルムを選択することにより、現像する画像の画質を選択するように、画像の画質を選択できる画像調整方法、又その方法を実施可能なデジタルスチルカメラ等の画像入力装置及び画像形成装置、並びにコンピュータに読み込まれることにより前記方法を実現するコンピュータプログラムの提供。【解決手段】ＲＡＭ１２−１に、画像に施す画像処理の複数のパラメータを含むパラメータ群を複数記憶しておき、複数のパラメータ群から所要のパラメータ群を選択する指示を受付部１７により受け付け、受け付けたパラメータ群が含むパラメータに基づいて画像に画像処理を施すことにより画質を調整するようにした。【選択図】        図１
2004179883.tif 000002
【特許請求の範囲】
【請求項１】
記憶部に記憶された画像処理の複数のパラメータから所要のパラメータを選択する指示を受け付け、受け付けたパラメータに基づいて画像に画像処理を施すことにより前記画像の画質を調整する画像調整方法において、
画像処理の複数のパラメータを含むパラメータ群を予め前記記憶部に複数記憶しておき、
複数のパラメータ群から所要のパラメータ群を選択する指示を受け付け、
受け付けたパラメータ群が含むパラメータに基づいて画像に画像処理を施すことにより前記画像の画質を調整する
ことを特徴とする画像調整方法。
【請求項２】
撮像部と、該撮像部が撮像した画像に施す画像処理の複数のパラメータを記憶した記憶部と、該記憶部に記憶された複数のパラメータから所要のパラメータを選択する指示を受け付ける受付部とを備え、受け付けたパラメータに基づいて前記画像に画像処理を施し、画像処理後の画像を画像記憶部に記憶させる画像入力装置において、
前記記憶部は、画像処理の複数のパラメータを含むパラメータ群を複数記憶しており、
前記受付部は、複数のパラメータ群から所要のパラメータ群を選択する指示を受け付けることが可能に構成されており、
受け付けたパラメータ群が含むパラメータに基づいて前記画像に画像処理を施し、画像処理後の画像を前記画像記憶部に記憶させる構成とした
ことを特徴とする画像入力装置。
【請求項３】
前記記憶部は、着脱可能に構成されていることを特徴とする請求項２に記載の画像入力装置。
【請求項４】
撮像部と、該撮像部が撮像した画像に施す画像処理の複数のパラメータを記憶した記憶部と、該記憶部に記憶された複数のパラメータから所要のパラメータを選択する指示を受け付ける受付部とを備え、受け付けたパラメータに基づいて前記画像に画像処理を施し、画像処理後の画像を画像記憶部に記憶させるデジタルスチルカメラにおいて、
前記記憶部は、画像処理の複数のパラメータを含むパラメータ群を複数記憶しており、
前記受付部は、複数のパラメータ群から所要のパラメータ群を選択する指示を受け付けることが可能に構成されており、
受け付けたパラメータ群が含むパラメータに基づいて前記画像に画像処理を施し、画像処理後の画像を前記画像記憶部に記憶させる構成とした
ことを特徴とするデジタルスチルカメラ。
【請求項５】
前記記憶部は、着脱可能に構成されていることを特徴とする請求項４に記載のデジタルスチルカメラ。
【請求項６】
印刷媒体上に画像を形成する画像形成部を更に備えることを特徴とする請求項４又は５に記載のデジタルスチルカメラ。
【請求項７】
入力された画像に施す画像処理の複数のパラメータを記憶した記憶部と、該記憶部に記憶された複数のパラメータから所要のパラメータを選択する指示を受け付ける受付部とを備え、受け付けたパラメータに基づいて前記画像に画像処理を施し、画像処理後の画像を印刷媒体上に形成する画像形成装置において、
前記記憶部は、画像処理の複数のパラメータを含むパラメータ群を複数記憶しており、
前記受付部は、複数のパラメータ群から所要のパラメータ群を選択する指示を受け付けることが可能に構成されており、
受け付けたパラメータ群が含むパラメータに基づいて前記画像に画像処理を施し、画像処理後の画像を印刷媒体上に形成する構成とした
ことを特徴とする画像形成装置。
【請求項８】
前記記憶部は、着脱可能に構成されていることを特徴とする請求項７に記載の画像形成装置。
【請求項９】
前記記憶部は、画像入力装置に対応して前記パラメータ群が含むパラメータを補正する複数の入力補正パラメータ群を更に記憶しており、
前記受付部は、複数の入力補正パラメータ群から所要の入力補正パラメータ群を選択する指示を更に受け付けることが可能に構成されている
ことを特徴とする請求項７又は８に記載の画像形成装置。
【請求項１０】
画像に施す画像処理の複数のパラメータに基づいて前記画像の画質を調整するコンピュータプログラムにおいて、
コンピュータに、画像処理の複数のパラメータを含む複数のパラメータ群から所要のパラメータ群を選択する指示を受け付けさせる手順と、
コンピュータに、受け付けたパラメータ群が含むパラメータに基づいて画像に画像処理を施させる手順と
を含むことを特徴とするコンピュータプログラム。
【請求項１１】
コンピュータに、画像入力装置に対応して前記パラメータ群が含むパラメータを補正する複数の入力補正パラメータ群から所要の入力補正パラメータ群を選択する指示を受け付けさせる手順と、
コンピュータに、受け付けた入力補正パラメータ群に基づいて前記パラメータ群が含むパラメータを補正させる手順と、
コンピュータに、画像形成装置に対応して前記パラメータ群が含むパラメータを補正する複数の出力補正パラメータ群から所要の出力補正パラメータ群を選択する指示を受け付けさせる手順と、
コンピュータに、受け付けた出力補正パラメータ群に基づいて前記パラメータ群が含むパラメータを補正させる手段と
を更に含むことを特徴とする請求項１０に記載のコンピュータプログラム。
【発明の詳細な説明】
【０００１】
【発明の属する技術分野】
本発明は、画像処理のパラメータを調整することにより、画像の画質を調整する画像調整方法、該画像調整方法の実施に直接使用する画像入力装置、デジタルスチルカメラ及び画像形成装置、並びにコンピュータに読み込ませることにより、前記画像調整方法の実施に直接使用する画像処理装置を実現するためのコンピュータプログラムに関する。
【０００２】
【従来の技術】
銀塩写真のフィルムは、通常、被写体、撮影者の撮影意図又は撮影条件等によって選択されるが、多くの銀塩写真用カメラは、フィルムの途中交換は考慮されておらず、フィルム１本を撮り終るまでフィルムの交換ができない。このため、多くの使用者は、厳密な選択ではなく撮影条件の最大公約数的に選択を行っている。撮影日の天候又は屋内での撮影等、撮影する状況を予想して店頭に並ぶ各種のフィルム、例えば、製造者の銘柄、カラーフィルム、白黒フィルム、ネガフィルム、ポジフィルム（リバーサルフィルム）、ＩＳＯ感度別、デイライトタイプ又はタングステンタイプ等によって分類されるフィルムの中から特定のフィルムを選択する場合が多い。
【０００３】
フィルムの特性は、色調、色再現域、粒状性、シャープネス、色の深み及び中間調表現等の言葉を用いて表現され、一般に、ＩＳＯ感度の数値が大きいほど粒状性、シャープネス、色の深み、中間調表現及び質感が悪くなる。また、カラーフィルムに比べて白黒フィルムは、シャープネス、画像の深み及び中間調表現において優れている。
【０００４】
同一種類に分類されるフィルムであっても、フィルムの特性は製造者毎に異なり、銘柄毎による差も大きい。各製造者のフィルムは、フィルムの構成、感光剤の感度特性及び置換する染料の分光特性等により、夫々の製造者、銘柄を特長付ける特性を有している。使用者は、店頭でのプリントサンプル等、又は各社フィルムの分光感度曲線及び特性曲線等の特長を記した書籍等を参考にして、好みのフィルムを選択することができる。
【０００５】
フィルムの特性は、フィルム固有の特性に加え、現像条件又は印画紙等によっても大きく変化する。例えば、粒状性及び色調を犠牲にして感度を上げる増感現像手法、特定の色のみ強調して現像する手法、及びガンマ特性を立てて明部又は暗部を飽和させる手法等がある。また、白黒の印画紙を用いてセピア化する現像手法もある。これらの手法は、フィルムの特性だけでなく、「フィルムへ露光、フィルム現像、印画紙へ露光及び印画紙現像」の一連の工程のなかにおいて微調整を行うことにより、種々の効果を得る。
【０００６】
このような銀塩写真の分野において、高画質の現像写真を得るために種々の手法が発明されている。その手法の一つとして、高画質の写真プリントを得るために、撮影条件等の電子データを撮影と同時にフィルムに書き込み、現像の際に電子データに基づき最適な現像、露光状態を作り出す手法が開示されている（特許文献１参照）。
【０００７】
一方、デジタルスチルカメラ（以下、ＤＳＣという。）においては、銀塩写真からＤＳＣへの置き換えを考える使用者から銀塩写真特有のフィルムの選択により画質を選択するという機能の実現が要望されている。しかし、一般的なＤＳＣは、フィルムに相当する撮像素子の交換が考慮されていない。このため、ＤＳＣにおいては、銀塩写真用カメラのように、フィルムを選択することにより、画質を選択するというようなことはできず、出力する画像の画質を変更するには、ガンマ補正及び色バランス補正等の画像処理により微調整を行っていた。この微調整は、デジタル機器特有の後処理及び領域を指定しての補正が可能であり、機能的には銀塩写真よりも優れた選択肢を有している。
【０００８】
このような画像処理による画像調整方法として、画像入力装置の特性又は撮影条件等による色のバラツキ等を補正する色補正処理が開示されている（特許文献２参照）。また、画像処理のパラメータ値を微妙に変化させた複数の画像を表示し、表示された画像を選択させることにより、複雑な画像処理手順の簡易化を行う方法が開示されている（特許文献３参照）。
【０００９】
【特許文献１】
特開平０９−２８１６１３号公報
【特許文献２】
特開２０００−２９５４８７号公報
【特許文献３】
特開２００２−１９７４７５号公報
【００１０】
【発明が解決しようとする課題】
ＤＳＣ等の画像入力装置で撮影した画像を好みの画質に調整しようとした場合は、特許文献２に開示されているような色補正処理だけでなく、ガンマ補正及びエッジ強調等、その他多くの項目の画像処理を必要とする。これらの画像処理を行うには高度の専門知識が必要であり、一般のＤＳＣ使用者が行うには非常に困難である。これらの画像処理による画像調整手段が備えられたＤＳＣ等の画像入力装置も多く存在するが、調整項目が多く、非常に複雑であるか、テレビ等の映像出力端末の調整方法を模したような雑な調整方法である場合が多い。このため、銀塩写真においてフィルムを選択するようにして好みの画質を選択するようなことが、ＤＳＣ等の画像入力装置においては簡単にできないという問題があった。
【００１１】
また、特許文献３に記載された方法においては、画像処理手順が簡略化されているとはいえ、好みの画質を得るまでに画像を何度か選択しなくてはならず、また、有限の画像の中から選択させるために、一度に扱えるパラメータの数に限界があるため、必ずしも好みの画質が選択できないという問題があった。
【００１２】
さらに、特許文献１に記載された方法においては、銀塩写真を前提としているために制御できる因子が少なく、現像条件はフィルム１本単位でしか制御できないため、画像毎に異なる画像処理をすることは不可能であるという問題があった。
【００１３】
本発明は、斯かる事情に鑑みてなされたものであり、画像に施す画像処理の複数のパラメータを含む複数のパラメータ群から所要のパラメータ群を選択して指示することにより、銀塩写真においてフィルムを選択して画質を選択するようなことを実現できる画像調整方法を提供することを目的とする。
【００１４】
また、本発明は、画像に施す画像処理の複数のパラメータを含む複数のパラメータ群から所要のパラメータ群を選択して指示することにより、銀塩写真においてフィルムを選択して画質を選択するような機能を備える画像入力装置を提供することを目的とする。
【００１５】
また、本発明は、パラメータ群を簡単に変更又は追加することができる画像入力装置を提供することを目的とする。
【００１６】
また、本発明は、画像に施す画像処理の複数のパラメータを含む複数のパラメータ群から所要のパラメータ群を選択して指示することにより、銀塩写真においてフィルムを選択して画質を選択するような機能を備えるデジタルスチルカメラを提供することを目的とする。
【００１７】
また、本発明は、パラメータ群を簡単に変更又は追加することができるデジタルスチルカメラを提供することを目的とする。
【００１８】
また、本発明は、プリンタを備え、画像を印刷媒体上に出力することができるデジタルスチルカメラを提供することを目的とする。
【００１９】
また、本発明は、画像に施す画像処理の複数のパラメータを含む複数のパラメータ群から所要のパラメータ群を選択して指示することにより、銀塩写真においてフィルムを選択して画質を選択するような機能を備える画像形成装置を提供することを目的とする。
【００２０】
また、本発明は、パラメータ群を簡単に変更又は追加することができる画像形成装置を提供することを目的とする。
【００２１】
また、本発明は、画像入力装置に対応してパラメータ群が含むパラメータを補正する複数の入力補正パラメータ群から所要の入力補正パラメータ群を選択して指示することにより、画像入力装置が異なる画像を出力する場合でも、出力する画像の画質が変動しない画像形成装置を提供することを目的とする。
【００２２】
また、本発明は、画像に施す画像処理の複数のパラメータを含む複数のパラメータ群から所要のパラメータ群を選択して指示することにより、銀塩写真においてフィルムを選択して画質を選択するような機能をコンピュータ上において実現できるコンピュータプログラムを提供することを目的とする。
【００２３】
さらに、本発明は、画像入力装置又は画像形成装置に対応してパラメータ群が含むパラメータを補正する複数の入力補正パラメータ群又は出力補正パラメータ群から所要の入力補正パラメータ群又は出力補正パラメータ群を選択して指示することにより、異なる画像入力装置又は画像形成装置を使用しても、画像処理後の画像の画質が変動しない画像処理が可能なコンピュータプログラムを提供することを目的とする。
【００２４】
【課題を解決するための手段】
本発明に係る画像調整方法は、記憶部に記憶された画像処理の複数のパラメータから所要のパラメータを選択する指示を受け付け、受け付けたパラメータに基づいて画像に画像処理を施すことにより前記画像の画質を調整する画像調整方法において、画像処理の複数のパラメータを含むパラメータ群を予め前記記憶部に複数記憶しておき、複数のパラメータ群から所要のパラメータ群を選択する指示を受け付け、受け付けたパラメータ群が含むパラメータに基づいて画像に画像処理を施すことにより前記画像の画質を調整することを特徴とする。
【００２５】
本発明においては、記憶部に記憶された複数のパラメータ群から所要のパラメータ群を選択する指示を受け付け、受け付けたパラメータ群が含むパラメータに基づいて画像に画像処理を施すことにより画像の画質を調整する。このようにすることにより、パラメータ群を選択して指示するだけで好みの画質である画像が簡単に選択できる。
【００２６】
本発明に係る画像入力装置は、撮像部と、該撮像部が撮像した画像に施す画像処理の複数のパラメータを記憶した記憶部と、該記憶部に記憶された複数のパラメータから所要のパラメータを選択する指示を受け付ける受付部とを備え、受け付けたパラメータに基づいて前記画像に画像処理を施し、画像処理後の画像を画像記憶部に記憶させる画像入力装置において、前記記憶部は、画像処理の複数のパラメータを含むパラメータ群を複数記憶しており、前記受付部は、複数のパラメータ群から所要のパラメータ群を選択する指示を受け付けることが可能に構成されており、受け付けたパラメータ群が含むパラメータに基づいて前記画像に画像処理を施し、画像処理後の画像を前記画像記憶部に記憶させる構成としたことを特徴とする。
【００２７】
本発明においては、記憶部に記憶された複数のパラメータ群から所要のパラメータ群を選択する指示を受け付け、受け付けたパラメータ群が含むパラメータに基づいて画像に画像処理を施すことにより画像の画質を調整し、画像記憶部に記憶させる。このようにすることにより、パラメータ群を選択して指示するだけで好みの画質である画像が簡単に選択できる。
【００２８】
本発明に係る画像入力装置においては、前記記憶部は、着脱可能に構成されていることを特徴とする。
【００２９】
本発明においては、複数のパラメータ群が記憶された記憶部を取り外しでき、異なるパラメータ群が記憶された記憶部に交換することもできる。
【００３０】
本発明に係るデジタルスチルカメラは、撮像部と、該撮像部が撮像した画像に施す画像処理の複数のパラメータを記憶した記憶部と、該記憶部に記憶された複数のパラメータから所要のパラメータを選択する指示を受け付ける受付部とを備え、受け付けたパラメータに基づいて前記画像に画像処理を施し、画像処理後の画像を画像記憶部に記憶させるデジタルスチルカメラにおいて、前記記憶部は、画像処理の複数のパラメータを含むパラメータ群を複数記憶しており、前記受付部は、複数のパラメータ群から所要のパラメータ群を選択する指示を受け付けることが可能に構成されており、受け付けたパラメータ群が含むパラメータに基づいて前記画像に画像処理を施し、画像処理後の画像を前記画像記憶部に記憶させる構成としたことを特徴とする。
【００３１】
本発明においては、複数のパラメータ群から所要のパラメータ群を選択する指示を受け付け、受け付けたパラメータ群が含むパラメータに基づいて画像に画像処理を施すことにより画像の画質を調整し、画像記憶部に記憶させる。このようにすることにより、パラメータ群を選択して指示するだけで好みの画質である画像が簡単に選択できる。
【００３２】
本発明に係るデジタルスチルカメラにおいては、前記記憶部は、着脱可能に構成されていることを特徴とする。
【００３３】
本発明においては、複数のパラメータ群が記憶された記憶部を取り外しでき、異なるパラメータ群が記憶された記憶部に交換することもできる。
【００３４】
本発明に係るデジタルスチルカメラにおいては、印刷媒体上に画像を形成する画像形成部を更に備えることを特徴とする。
【００３５】
本発明においては、画像処理後の画像を画像形成部によって、紙又はシール紙等の印刷媒体上に出力することができる。
【００３６】
本発明に係る画像形成装置は、入力された画像に施す画像処理の複数のパラメータを記憶した記憶部と、該記憶部に記憶された複数のパラメータから所要のパラメータを選択する指示を受け付ける受付部とを備え、受け付けたパラメータに基づいて前記画像に画像処理を施し、画像処理後の画像を印刷媒体上に形成する画像形成装置において、前記記憶部は、画像処理の複数のパラメータを含むパラメータ群を複数記憶しており、前記受付部は、複数のパラメータ群から所要のパラメータ群を選択する指示を受け付けることが可能に構成されており、受け付けたパラメータ群が含むパラメータに基づいて前記画像に画像処理を施し、画像処理後の画像を印刷媒体上に形成する構成としたことを特徴とする。
【００３７】
本発明においては、複数のパラメータ群から所要のパラメータ群を選択する指示を受け付け、受け付けたパラメータ群が含むパラメータに基づいて画像に画像処理を施すことにより画像の画質を調整し、印刷媒体上に画像を形成する。このようにすることにより、パラメータ群を選択して指示するだけで好みの画質である画像が簡単に選択できる。
【００３８】
本発明に係る画像形成装置においては、前記記憶部は、着脱可能に構成されていることを特徴とする。
【００３９】
本発明においては、複数のパラメータ群が記憶された記憶部を取り外しでき、異なるパラメータ群が記憶された記憶部に交換することもできる。
【００４０】
本発明に係る画像形成装置においては、前記記憶部は、画像入力装置に対応して前記パラメータ群が含むパラメータを補正する複数の入力補正パラメータ群を更に記憶しており、前記受付部は、複数の入力補正パラメータ群から所要の入力補正パラメータ群を選択する指示を更に受け付けることが可能に構成されていることを特徴とする。
【００４１】
本発明においては、画像入力装置に対応してパラメータ群が含むパラメータを補正する複数の入力補正パラメータ群から所要の入力補正パラメータ群を選択する指示を受け付け、受け付けた入力補正パラメータ群に基づいてパラメータ群が含むパラメータを補正し、補正されたパラメータに基づいて画像に画像処理を施すことにより画像の画質を調整する。このようにすることにより、画像入力装置が異なる画像でも、選択したパラメータ群によって実現される画質が変動しない。
【００４２】
本発明に係るコンピュータプログラムは、画像に施す画像処理の複数のパラメータに基づいて前記画像の画質を調整するコンピュータプログラムにおいて、コンピュータに、画像処理の複数のパラメータを含む複数のパラメータ群から所要のパラメータ群を選択する指示を受け付けさせる手順と、コンピュータに、受け付けたパラメータ群が含むパラメータに基づいて画像に画像処理を施させる手順とを含むことを特徴とする。
【００４３】
本発明においては、コンピュータに、複数のパラメータ群から所要のパラメータ群を選択する指示を受け付けさせ、コンピュータに、受け付けたパラメータ群が含むパラメータに基づいて画像に画像処理を施させることにより画像の画質を調整する。このようにすることにより、パラメータ群を選択して指示するだけで好みの画質である画像が簡単に選択できる。
【００４４】
本発明に係るコンピュータプログラムにおいては、コンピュータに、画像入力装置に対応して前記パラメータ群が含むパラメータを補正する複数の入力補正パラメータ群から所要の入力補正パラメータ群を選択する指示を受け付けさせる手順と、コンピュータに、受け付けた入力補正パラメータ群に基づいて前記パラメータ群が含むパラメータを補正させる手順と、コンピュータに、画像形成装置に対応して前記パラメータ群が含むパラメータを補正する複数の出力補正パラメータ群から所要の出力補正パラメータ群を選択する指示を受け付けさせる手順と、コンピュータに、受け付けた出力補正パラメータ群に基づいて前記パラメータ群が含むパラメータを補正させる手段とを更に含むことを特徴とする。
【００４５】
本発明においては、コンピュータに、画像入力装置に対応してパラメータ群が含むパラメータを補正する複数の入力補正パラメータ群から所要の入力補正パラメータ群を選択する指示を受け付けさせ、コンピュータに、受け付けた入力補正パラメータ群に基づいてパラメータ群が含むパラメータを補正させ、コンピュータに、画像形成装置に対応してパラメータ群が含むパラメータを補正する複数の出力補正パラメータ群から所要の出力補正パラメータ群を選択する指示を受け付けさせ、コンピュータに、受け付けた出力補正パラメータ群に基づいてパラメータ群が含むパラメータを補正させる。このようにすることにより、画像入力装置及び画像形成装置が異なる場合でも、選択したパラメータ群によって実現される画質が変動しない。
【００４６】
【発明の実施の形態】
以下、本発明をその実施の形態を示す図面に基づいて詳述する。
【００４７】
実施の形態１
図１は、本発明に係る画像入力装置であるデジタルスチルカメラの要部構成を示すブロック図であり、図２は、本発明に係るデジタルスチルカメラの外観を示す斜視図である。図３は、表示部にカメラ機能の基本的な項目を表示させた場合（表示する全ての項目を点灯させた場合）の一例を示す図面であり、図４は、表示部にメニュー項目を表示させた場合の一例を示す図面である。
【００４８】
図において１０はＣＰＵであり、ＣＰＵ１０は、ＲＯＭ１１、ＲＡＭ１２−１、ＲＡＭ１２−２、撮像センサ１３、外部機器インターフェース１４、記録媒体接続部１５、表示部１６、受付部１７及び画像形成部１８とバス１９を介して互いに接続されている。
【００４９】
ＲＯＭ１１には、デジタルスチルカメラ１の動作に必要な種々のソフトウエアのプログラム等が予め格納されている。
【００５０】
撮像センサ１３は、ＣＣＤ等のイメージセンサにより構成されており、撮像を行う。ＣＰＵ１０によって撮像センサ１３から画像データを取り込み、取り込まれた画像データは、アナログ／デジタル変換された後、ＲＡＭ１２−２の画像データの一時格納領域に記憶される。
【００５１】
ＲＡＭ１２−１は、銀塩写真フィルムを現像した画質を再現できるように、画像処理の複数のパラメータを含むパラメータ群を複数記憶した記憶部である。このＲＡＭ１２−１は、メモリーカード等の着脱することが可能な外部記憶装置を用いてもよく、着脱することが可能な外部記憶装置を用いた場合は、異なるパラメータ群が記憶されたＲＡＭ１２−１に取り換えることにより、パラメータ群の変更又は追加が簡単に行える。ＲＡＭ１２−２は、処理の実行領域として用いられ、ソフトウエアの実行時に発生する一時的なデータを記憶する。処理の実行領域としてのデータ記憶手段と、前述した画像データの格納手段とは異なる構成にしてもよい。例えば、処理の実行領域としてのデータ記憶手段は半導体メモリーとし、画像データの格納手段は光ディスク記録装置としてもよい。
【００５２】
ＣＰＵ１０は、ＲＯＭ１１に格納してあるプログラム及びＲＡＭ１２−１のパラメータ群に基づき、画像処理の処理手順及び操作手順等に沿って画像処理等を行う。
【００５３】
記録媒体接続部１５は、画像データを格納する外部記録媒体を接続する部分である。記録媒体接続部１５に外部記録媒体を接続することにより、デジタルスチルカメラ１において撮像された画像データを外部記録媒体に格納することができる。画像データを格納した外部記録媒体を、パーソナルコンピュータ又はプリンタ等の外部機器に接続した場合は、外部記録媒体に格納された画像データを、外部機器において表示又は印刷することができる。
【００５４】
外部機器インターフェース１４は、パーソナルコンピュータ又はプリンタ等の外部機器を接続する部分である。外部機器インターフェース１４にパーソナルコンピュータ又はプリンタを接続することにより、デジタルスチルカメラ１において撮像された画像を、外部機器において表示又は印刷することができる。
【００５５】
表示部１６は、液晶表示装置であり、画像処理のパラメータ群の選択画面又はカメラ機能の設定状態等を表示する。受付部１７は、表示部１６に表示されたパラメータ群を選択する指示を受け付ける部分であり、十字形状のスイッチ等により構成される。画像形成部１８は、サーマル方式のプリンタであり、画像データを紙又はシール紙等の印刷媒体上に印刷することができる。
【００５６】
なお、本発明に係る画像入力装置であるデジタルスチルカメラ１の構成は、前述した構成に限らず、本発明から逸脱しない範囲において異なる構成にすることも可能である。
【００５７】
図５は、本実施の形態１のデジタルスチルカメラ１における選択メニューの状態遷移図である。
【００５８】
「機能選択」の下位には、「フィルム選択」、「保存条件選択」、「撮影条件選択」及び「画像呼び出し」等のメニューが設定されている。「フィルム選択」の下位には、「銘柄」、「ＩＳＯ感度」及び「光源」のメニューが設定されており、「銘柄」の下位には、「Ａ社ＸＸＸ」、「Ａ社ＸＸ１」及び「Ｂ社ＹＹＹ」等の具体的な銘柄のメニューが設定されている。また、「ＩＳＯ感度」の下位には、「５０」、「１００」及び「２００」等の具体的な数値のメニューが設定されており、「光源」の下位には、「Ｄａｙ  Ｌｉｇｈｔ」、「タングステン」及び「フラッシュ（夜）」等の具体的な種類のメニューが設定されている。なお、この選択メニューに対応する画像処理だけでなく、撮像時の露光量の設定及び露光量のシフトについても設定でき、その設定に基づいて画像の画質調整ができるように構成されている。
【００５９】
図６は、メニューを変更した場合の画像処理の各パラメータに対する影響度を示した図表である。
【００６０】
フィルムの銘柄を選択することにより、画像特性の「色相」、「彩度」及び「明度」が主に変化し、フィルム感度を選択することにより、画像特性の「シャープネス」、「明度」及び「ガンマ特性」が主に変化し、露光量を選択することにより、画像特性の「ガンマ特性」が変化する。これらの画像特性を、対応する画像処理の各パラメータに当てはめた場合、図６の図表のようになる。なお、撮像装置が機械的な絞りを備える場合は、絞りの値をパラメータとして画像特性の「シャープネス」を変化させることができる。
【００６１】
画像処理のパラメータは、「色範囲」、「色バランス」、「ガンマ特性」、「ダイナミックレンジ」、「エッジ強調」、「粒状性」及び「ローパスフィルタ」の７項目が設定されている。具体的な銘柄のメニューを選択することにより、パラメータの「色範囲」、「ガンマ特性」及び「ダイナミックレンジ」が主に変化し、具体的なＩＳＯ感度のメニューを選択することにより、パラメータの「ダイナミックレンジ」、「エッジ強調」、「粒状性」及び「ローパスフィルタ」が主に変化する。また、具体的な光源のメニューを選択することにより、パラメータの「色範囲」、「色バランス」及び「ダイナミックレンジ」が主に変化する。なお、図表中には、影響度として◎、○、△の記号を用いており、◎印が最も影響度が大きく、次いで○印が大きく、△印が最も影響度が小さいとして表示した。
【００６２】
図７は、「銘柄」及び「ＩＳＯ感度」の選択による画像処理の各パラメータの変化を模式的に示した図面である。
【００６３】
具体的な銘柄のメニューを選択することにより、「色範囲」、「ガンマ特性」及び「ダイナミックレンジ」等の設定が行われる。次に、具体的なＩＳＯ感度のメニューを選択することにより、「ダイナミックレンジ」、「エッジ強調」、「粒状性」及び「ローパスフィルタ」等の設定が行われる。ここで、露光補正又は機械的な絞りによる露光調整が行われた場合は、「ガンマ特性」及び「エッジ強調」の微調整が行われる。これらの選択は撮像前に行われ、メニュー選択によって設定された各パラメータは、次に変更されるまで保持される。
【００６４】
なお、撮像後に画像調整として異なる画質に変更することもできる。この場合、ＲＡＭ１２−２に記憶された画像データを用いて変更を行う。一般的に、デジタルスチルカメラ１等の画像入力装置によって撮像された画像データには、撮像時の情報が記録されており、この情報に各パラメータの設定値を含めるようにする。画質を変更する画像データをＲＡＭ１２−２の作業領域に読み込み、撮像時の情報を参照して画像処理の各パラメータの逆特性を与えて標準状態の画像データに変換する。標準状態の画像データを、新しく設定したパラメータ群が含むパラメータに基づいて画像処理する。ここで、システム構成上問題ない場合は、画像データを一旦標準状態に変換することなく一括して画像処理してもよい。
【００６５】
図８は、本実施の形態１のデジタルスチルカメラ１における画像処理のメニュー選択の手順を示したフローチャートである。以下、フローチャートを説明する。
【００６６】
先ず、ＣＰＵ１０は「機能選択」モードであるか否かを判断し（Ｓ１）、「機能選択」モードである場合（Ｓ１：ＹＥＳ）は、メニュー項目の「フィルム選択」が選択されているか否かを判断する（Ｓ２）。
【００６７】
「フィルム選択」が選択されている場合（Ｓ２：ＹＥＳ）、ＣＰＵ１０は、メニュー項目である「銘柄」、「ＩＳＯ感度」及び「光源」を表示部１６に表示させ、使用者に選択させる（Ｓ３）。
【００６８】
次に、ＣＰＵ１０は、表示したメニュー項目の「銘柄」が選択されているか否かを判断する（Ｓ４）。「銘柄」が選択されている場合（Ｓ４：ＹＥＳ）、ＣＰＵ１０は、「銘柄」の下位に設定されている具体的な銘柄を表示したメニューを表示部１６に表示させ、使用者に選択させる（Ｓ５）。
【００６９】
ＣＰＵ１０は、表示させた具体的な銘柄のメニューから何れが選択されたか検出し（Ｓ６）、検出したメニューに対応するパラメータ群が含む複数のパラメータに基づいて画像処理の複数のパラメータを設定し（Ｓ７）、リターンしてノーマルモードに移行する。
【００７０】
Ｓ１及びＳ２においてＹＥＳであり、Ｓ４においてＮＯの場合、ＣＰＵ１０は、メニュー項目の「ＩＳＯ感度」が選択されているか否かを判断する（Ｓ８）。「ＩＳＯ感度」が選択されている場合（Ｓ８：ＹＥＳ）、ＣＰＵ１０は、「ＩＳＯ感度」の下位に設定されている具体的な数値を表示したメニューを表示部１６に表示させ、使用者に選択させる（Ｓ９）。
【００７１】
ＣＰＵ１０は、表示させた具体的な数値のメニューから何れが選択されたか検出し（Ｓ１０）、検出したメニューに対応するパラメータ群が含む複数のパラメータに基づいて画像処理の複数のパラメータを設定し（Ｓ１１）、リターンしてノーマルモードに移行する。
【００７２】
Ｓ１及びＳ２においてＹＥＳであり、Ｓ４及びＳ８においてＮＯの場合、ＣＰＵ１０は、メニュー項目の「光源」が選択されていると判断し、「光源」の下位に設定されている具体的な種類を表示したメニューを表示部１６に表示させ、使用者に選択させる（Ｓ１２）。
【００７３】
ＣＰＵ１０は、表示させた具体的な種類のメニューから何れが選択されたか検出し（Ｓ１３）、検出したメニューに対応するパラメータ群が含む複数のパラメータに基づいて画像処理の複数のパラメータを設定し（Ｓ１４）、リターンしてノーマルモードに移行する。
【００７４】
Ｓ２において、メニュー項目の「フィルム選択」が選択されていない場合（Ｓ２：ＮＯ）、ＣＰＵ１０は、メニュー項目である「撮影条件選択」又は「保存条件選択」等のうち、何れが選択されているかを検出し（Ｓ１５）、検出されたメニュー項目に基づき処理を行い（Ｓ１６）、リターンしてノーマルモードに移行する。
【００７５】
図９は、本実施の形態１のデジタルスチルカメラ１における撮像の手順を示したフローチャートである。
【００７６】
メニュー項目で、「機能選択」モードになっていない場合（ノーマルモードの場合）、シャッターボタンをオンされた（Ｓ２０）ことをトリガとして、ＣＰＵ１０は、撮影のための割り込み（インタラプト）ルーチンに入り、ＣＰＵ１０は、撮像センサ１３から画像データを取り込む（Ｓ２１）。
【００７７】
取り込んだ画像データはＲＡＭ１２−２に記憶され、設定された画像処理の複数のパラメータに基づいて画像処理され（Ｓ２２）、保存された（Ｓ２３）後、リターンしてノーマルモードに移行する。
【００７８】
図１０は、本実施の形態１のデジタルスチルカメラ１のメニュー項目である「画像呼び出し」における画像処理の手順を示したフローチャートである。
【００７９】
「機能選択」の下位にある「画像呼び出し」において、選択された画像データ（Ｓ３０）に付加された撮像時における画像処理の複数のパラメータの設定値を示した情報から逆特性を与えて標準状態の画像データに変換し（Ｓ３１）、現在設定されている画像処理の複数のパラメータに基づいて画像処理し（Ｓ３２）、保存する（Ｓ３３）ことも可能である。
【００８０】
以上、実施の形態１のデジタルスチルカメラ１においては、銀塩写真用カメラにおいてフィルムを選択するように、表示部１６に表示されたフィルムの銘柄等のメニューを選択することにより、そのメニューに対応した画像処理のパラメータ群が含むパラメータに基づいて撮像した画像に画像処理を施し、記録することができ、簡単に好みの画質が選択できる。
【００８１】
また、ＲＡＭ１２−１を着脱することが可能な外部記憶装置にすることにより、異なるパラメータ群が記憶されたＲＡＭ１２−１に取り換えるだけで画像処理のパラメータ群を簡単に追加又は変更できる。
【００８２】
実施の形態２
以下、実施の形態２について説明する。図１１は、本発明に係る画像形成装置であるプリンタの要部構成を示すブロック図である。
【００８３】
図において２０はＣＰＵであり、ＣＰＵ２０は、ＲＯＭ２１、ＲＡＭ２２−１、ＲＡＭ２２−２、表示部２３、受付部２４、印刷部２５及び外部機器インターフェース２６とバス２７を介して互いに接続されている。
【００８４】
ＲＯＭ２１には、プリンタ２の動作に必要な種々のソフトウエアのプログラム等が予め格納されている。
【００８５】
ＲＡＭ２２−１は、銀塩写真フィルムを現像した画質を再現できるように、画像処理の複数のパラメータを含む複数のパラメータ群と、画像入力装置の特性に起因する出力画像の画質の変動を補正するように、パラメータ群が含むパラメータを補正する複数の入力補正パラメータ群とを記憶した記憶部である。このＲＡＭ２２−１は、メモリーカード等の着脱することが可能な外部記憶装置を用いてもよく、着脱することが可能な外部記憶装置を用いた場合は、ＲＡＭ２２−１を取り換えることにより、パラメータ群等の変更又は追加が簡単に行える。ＲＡＭ２２−２には出力する画像データが格納され、また、処理の実行領域として用いられ、ソフトウエアの実行時に発生する一時的なデータを記憶する。
【００８６】
ＣＰＵ２０は、ＲＯＭ２１に格納してある命令及びＲＡＭ２２−１のパラメータ群に基づき、画像処理の処理手順及び操作手順等に沿って画像処理等を行う。
【００８７】
表示部２３は、液晶表示装置であり、画像処理のパラメータ群の選択画面等を表示する。受付部２４は、表示部２３に表示されたパラメータ群を選択する指示を受け付ける部分であり、十字形状のスイッチ等により構成される。印刷部２５は、画像データを紙等の印刷媒体上に印刷することができる。
【００８８】
外部機器インターフェース２６は、パーソナルコンピュータ又はデジタルスチルカメラ等の外部機器を接続する部分である。外部機器インターフェース２６を介してパーソナルコンピュータ等より画像データが伝送される。
【００８９】
なお、本発明に係る画像形成装置であるプリンタ２の構成は、前述した構成に限らず、本発明から逸脱しない範囲において異なる構成にすることも可能である。
【００９０】
図１２は、本実施の形態２のプリンタ２における選択メニューの状態遷移図である。
【００９１】
「機能選択」の下位には、「フィルム選択」、「印刷条件選択」及び「入力装置選択」のメニューが設定されている。「フィルム選択」の下位は、実施の形態１における図５の選択メニューの状態遷移図と同一のため説明を省略する。「入力装置選択」の下位には、「デジタルスチルカメラ」及び「スキャナ」のメニューが設定されており、「デジタルスチルカメラ」の下位には、「Ｃ社ＺＺＺ」及び「Ｄ社ＳＳＳ」等の具体的な機種名のメニューが設定されている。また、「スキャナ」の下位には、「Ｅ社ＲＲＲ」及び「Ｆ社ＴＴＴ」等の具体的な機種名のメニューが設定されている。
【００９２】
図１３及び図１４は、本実施の形態２のプリンタ２における画像処理のメニュー選択の手順を示したフローチャートである。実施の形態１における図８に示したフローチャートと同一であるステップには、図８に示したＳ１からＳ１４のステップに対応してＳ５１からＳ６４の符号を付して説明を省略する。
【００９３】
Ｓ５１においてＹＥＳであって、Ｓ５２においてＮＯである場合、ＣＰＵ２０は、メニュー項目である「入力装置選択」が選択されているか否かを判断する（Ｓ６５）。
【００９４】
「入力装置選択」が選択されている場合（Ｓ６５：ＹＥＳ）、ＣＰＵ２０は、メニュー項目である「デジタルスチルカメラ」及び「スキャナ」を表示部２３上に表示させ、使用者に選択させる（Ｓ６６）。
【００９５】
次に、ＣＰＵ２０は、メニュー項目である「デジタルスチルカメラ」が選択されているか否かを判断する（Ｓ６７）。
【００９６】
「デジタルスチルカメラ」が選択されている場合（Ｓ６７：ＹＥＳ）、ＣＰＵ２０は、具体的な機種名を表示したメニューを表示部２３上に表示させ、使用者に選択させる（Ｓ６８）。
【００９７】
ＣＰＵ２０は、表示させた具体的な機種名のメニューから何れが選択されたか検出し（Ｓ６９）、検出したメニューに対応する入力補正パラメータ群に基づいてパラメータ群のパラメータを補正し（Ｓ７０）、リターンしてノーマルモードに移行する。
【００９８】
Ｓ５１においてＹＥＳであり、Ｓ５２においてＮＯであり、Ｓ６５においてＹＥＳであり、Ｓ６７においてＮＯの場合、ＣＰＵ２０は、メニュー項目の「スキャナ」が選択されていると判断して具体的な機種名を表示したメニューを表示部２３上に表示させ、使用者に選択させる（Ｓ７１）。
【００９９】
ＣＰＵ２０は、表示させた具体的な機種名のメニューから何れが選択されたか検出し（Ｓ７２）、検出したメニューに対応する入力補正パラメータ群に基づいてパラメータ群のパラメータを補正し（Ｓ７３）、リターンしてノーマルモードに移行する。なお、「デジタルスチルカメラ」の具体的な機種名のメニューと「スキャナ」の具体的な機種名のメニューとは同時に選択できないように設定されており、後に選択したほうが有効となる。
【０１００】
Ｓ５１においてＹＥＳであり、Ｓ５２及びＳ６５においてＮＯである場合、ＣＰＵ２０は、メニュー項目である「印刷条件選択」等のメニューの選択を検出し（Ｓ７４）、検出されたメニューに基づき処理を行い（Ｓ７５）、リターンしてノーマルモードに移行する。
【０１０１】
図１５は、本実施の形態２のプリンタ２における印刷の手順を示したフローチャートである。
【０１０２】
メニュー項目で、「機能選択」モードになっていない場合（ノーマルモードの場合）、印刷指示が与えられた（Ｓ８０）ことをトリガとして、ＣＰＵ２０は、ＲＡＭ２２−２に格納された画像を補正された画像処理の複数のパラメータを使用して画像処理し（Ｓ８１）、印刷した（Ｓ８２）後、リターンしてノーマルモードに移行する。
【０１０３】
以上、本実施の形態２のプリンタ２においては、銀塩写真用カメラにおいてフィルムを選択するように、表示部２３に表示されたフィルムの銘柄等のメニューを選択することにより、そのメニューに対応した画像処理のパラメータ群が含むパラメータに基づいて出力する画像に画像処理を施すことができ、簡単に好みの画質が選択できる。
【０１０４】
また、ＲＡＭ２２−１を着脱することが可能な外部記憶装置にすることにより、異なるパラメータ群等が記憶されたＲＡＭ２２−１に取り換えるだけで画像処理のパラメータ群等を簡単に追加又は変更できる。
【０１０５】
さらに、メニュー項目として「入力装置選択」を備え、具体的な機種名のメニューに対応した入力補正パラメータ群に基づいてパラメータ群が含むパラメータを補正するようにしてあるから、入力装置が異なる画像データでも、メニューを選択して入力装置を特定することにより、入力装置の特性による出力画像の画質の変動を補正することができる。
【０１０６】
実施の形態３
以下、実施の形態３について説明する。図１６は、本発明に係るコンピュータプログラムが記録された記録媒体を読み込むことにより、画像処理装置として動作するパーソナルコンピュータの要部構成を示すブロック図である。
【０１０７】
図において４は、パーソナルコンピュータを用いた画像処理装置であり、画像処理装置４は、本発明に係るコンピュータプログラムＰＧを記録したＣＤ−ＲＯＭ等の記録媒体３からコンピュータプログラムＰＧを読み取る補助記憶部４１と、補助記憶部４１によって読み取られたコンピュータプログラムＰＧを記録するハードディスク等の記録部４２とを備えている。記録部４２には、デジタルスチルカメラ等の画像入力装置によって作成された画像データが格納されている。
【０１０８】
本発明に係るコンピュータプログラムＰＧが記録部４２に記録されることにより、パーソナルコンピュータは、記録部４２からコンピュータプログラムＰＧを読み取り、情報を記憶するＲＡＭ４３に記憶させ、ＣＰＵ４０により実行することができ、画像処理装置４として動作する。
【０１０９】
なお、記録媒体３には、本発明に係るコンピュータプログラムＰＧである、銀塩写真フィルムを現像した画像の画質を再現するように、画像処理の複数のパラメータを含む複数のパラメータ群、画像入力装置の特性に起因する出力画像の画質の変動を補正するように、パラメータ群が含むパラメータを補正する複数の入力補正パラメータ群、及び画像形成装置の特性に起因する出力画像の画質の変動を補正するように、パラメータ群が含むパラメータを補正する複数の出力補正パラメータ群等が記録されている。
【０１１０】
画像処理装置４は、さらに、マウス及びキーボード等の入力部４４、モニタ等の表示部４５、プリンタ又はデジタルスチルカメラ等を接続する外部機器インターフェース４６、並びにインターネット等の通信ネットワークＮＷに接続するモデム又はターミナルアダプタ等の通信部４７を備える。
【０１１１】
なお、記録媒体３から本発明に係るコンピュータプログラムＰＧを読み取るのではなく、通信部４７を用いて通信ネットワークＮＷに接続し、通信ネットワークＮＷに接続されるウェブサーバコンピュータを用いた通信装置５の記録部５０に記録されているコンピュータプログラムＰＧをダウンロードして、画像処理装置４が備える記録部４２に記録するようにしてもよい。また、同様に、通信装置５の記録部５０に記録されているパラメータ群、入力補正パラメータ群又は出力補正パラメータ群のみをダウンロードし、パラメータ群、入力補正パラメータ群又は出力補正パラメータ群を追加するようにしてもよい。
【０１１２】
図１７は、実施の形態３の画像処理装置４における選択メニューの状態遷移図である。
【０１１３】
「機能選択」の下位には、「フィルム選択」、「変換実行」、「入力装置選択」及び「画像形成装置選択」のメニューが設定されている。「フィルム選択」及び「入力装置選択」の下位は、実施の形態２における図１２の選択メニューの状態遷移図と同一のため説明を省略する。「画像形成装置選択」の下位には、「カラーレーザプリンタ」及び「インクジェットプリンタ」のメニューが設定されており、「カラーレーザプリンタ」の下位には、「Ｇ社ＭＭＭ」及び「Ｈ社ＮＮＮ」等の具体的な機種名のメニューが設定されている。また、「インクジェットプリンタ」の下位には、「Ｊ社ＰＰＰ」及び「Ｋ社ＱＱＱ」等の具体的な機種名のメニューが設定されている。
【０１１４】
図１８、図１９及び図２０は、本実施の形態３の画像処理装置４における画像処理のメニュー選択から変換、保存までの手順を示したフローチャートである。実施の形態１における図８に示したフローチャートと同一であるステップには、図８に示したＳ２からＳ１４のステップに対応してＳ１０１からＳ１１３の符号を付して説明を省略する。なお、本実施の形態３においては、実施の形態１のＳ１に対応するステップが存在せず、実施の形態１のＳ７、Ｓ１１及びＳ１４に対応するＳ１０６、Ｓ１１０及びＳ１１３が終了した場合、リターンせずにＳ１０１へ戻る。実施の形態２における図１４に示したフローチャートと同一であるステップには、図１４に示したＳ６５からＳ７３のステップに対応してＳ１１４からＳ１２２の符号を付して説明を省略する。なお、実施の形態２のＳ７０及びＳ７３に対応するＳ１１９及びＳ１２２が終了した場合、リターンせずにＳ１０１へ戻る。
【０１１５】
Ｓ１１４においてＮＯである場合、ＣＰＵ４０は、メニュー項目である「画像形成装置選択」が選択されているか否かを判断する（Ｓ１２３）。
【０１１６】
「画像形成装置選択」が選択されている場合（Ｓ１２３：ＹＥＳ）、ＣＰＵ４０は、メニュー項目である「カラーレーザプリンタ」及び「インクジェットプリンタ」を表示部４５上に表示させ、使用者に選択させる（Ｓ１２４）。
【０１１７】
次に、ＣＰＵ４０は、メニュー項目である「カラーレーザプリンタ」が選択されているか否かを判断する（Ｓ１２５）。
【０１１８】
「カラーレーザプリンタ」が選択されている場合（Ｓ１２５：ＹＥＳ）、ＣＰＵ４０は、具体的な機種名を表示したメニューを表示部４５上に表示させ、使用者に選択させる（Ｓ１２６）。
【０１１９】
ＣＰＵ４０は、表示させた具体的な機種名のメニューから何れが選択されたか検出し（Ｓ１２７）、検出したメニューに対応する出力補正パラメータ群に基づいてパラメータ群が含むパラメータを補正する（Ｓ１２８）。
【０１２０】
次に、Ｓ１０１に戻り、Ｓ１０１及びＳ１１４においてＮＯであり、Ｓ１２３においてＹＥＳであり、Ｓ１２５においてＮＯの場合、ＣＰＵ４０は、メニュー項目の「インクジェットプリンタ」が選択されていると判断して具体的な機種名を表示したメニューを表示部４５上に表示させ、ユーザに選択させる（Ｓ１２９）。
【０１２１】
ＣＰＵ４０は、表示させた具体的な機種名のメニューから何れが選択されたか検出し（Ｓ１３０）、検出したメニューに対応する出力補正パラメータ群に基づいてパラメータ群が含むパラメータを補正する（Ｓ１３１）。なお、「カラーレーザプリンタ」の具体的な機種名のメニューと、「インクジェットプリンタ」の具体的な機種名のメニューとは、同時に選択できないように設定されており、後に選択したほうが有効となる。
【０１２２】
Ｓ１０１に戻り、Ｓ１０１、Ｓ１１４及びＳ１２３においてＮＯである場合、ＣＰＵ４０は、メニュー項目である「変換実行」が選択されていると判断し、記録部４２に格納されている画像データを選択できるように表示部４５上に表示させる（Ｓ１３２）。
【０１２３】
ＣＰＵ４０は、選択された画像データをＲＡＭ４３に読み込ませ、補正された画像処理の複数のパラメータに基づいて画像処理し（Ｓ１３３）、記録部４２に保存する（Ｓ１３４）。
【０１２４】
以上、本発明に係るコンピュータプログラムＰＧによって実現される本実施の形態３の画像処理装置４においては、銀塩写真用カメラにおいてフィルムを選択するように、表示部４５に表示されたフィルムの銘柄等のメニューを選択することにより、そのメニューに対応した画像処理のパラメータ群が含むパラメータに基づいて画像に画像処理を施すことができ、画像の画質を簡単に選択できる。
【０１２５】
また、メニュー項目として「入力装置選択」及び「画像形成装置選択」を備え、具体的な機種名のメニューに対応する入力補正パラメータ群及び出力補正パラメータ群に基づいてパラメータ群が含むパラメータを補正するようにしてあるから、入力装置が異なる画像データでも、メニューを選択して入力装置を特定することにより、入力装置の特性による出力画像の画質の変動を補正することができ、異なる画像形成装置によって画像を出力する場合でも、メニューを選択して画像形成装置を特定することにより、画像形成装置の特性による出力画像の画質の変動を補正することができる。
【０１２６】
なお、本実施の形態３においては、メニュー項目の「変換実行」を「機能選択」の下位としたが、「変換実行」メニューは、「機能選択」と同列に設定することも可能である。
【０１２７】
【発明の効果】
以上、詳述したように、本発明に係る画像調整方法においては、画像に施す画像処理の複数のパラメータを含むパラメータ群を予め記憶部に複数記憶しておき、複数のパラメータ群から所要のパラメータ群を選択する指示を受け付け、受け付けたパラメータ群が含むパラメータに基づいて画像に画像処理を施すから、銀塩写真フィルムを選択して画像の画質を選択するように、パラメータ群を選択して指示することにより、そのパラメータ群によって実現される銀塩写真フィルムの画質を簡単に選択できる。
【０１２８】
また、本発明に係る画像入力装置においては、記憶部は、画像に施す画像処理の複数のパラメータを含むパラメータ群を複数記憶しており、受付部は、複数のパラメータ群から所要のパラメータ群を選択する指示を受け付けることが可能に構成されているから、銀塩写真フィルムを選択することにより画質を選択するように、パラメータ群を選択して指示することにより、そのパラメータ群によって実現される銀塩写真フィルムの画質を簡単に選択できる。
【０１２９】
また、本発明に係る画像入力装置においては、記憶部は、着脱可能に構成されているから、記憶部を、異なるパラメータ群が記憶された記憶部に交換することにより、パラメータ群の変更又は追加が簡単にできる。
【０１３０】
また、本発明に係るデジタルスチルカメラにおいては、記憶部は、画像に施す画像処理の複数のパラメータを含むパラメータ群を複数記憶しており、受付部は、複数のパラメータ群から所要のパラメータ群を選択する指示を受け付けることが可能に構成されているから、銀塩写真フィルムを選択することにより画質を選択するように、パラメータ群を選択して指示することにより、そのパラメータ群によって実現される銀塩写真フィルムの画質を簡単に選択できる。
【０１３１】
また、本発明に係るデジタルスチルカメラにおいては、記憶部は、着脱可能に構成されているから、記憶部を、異なるパラメータ群が記憶された記憶部に交換することにより、パラメータ群の変更又は追加が簡単にできる。
【０１３２】
また、本発明に係るデジタルスチルカメラにおいては、印刷媒体上に画像を形成する画像形成部を更に備えるから、画像形成部によって、紙又はシール紙等の印刷媒体上に画像処理後の画像を出力することができる。
【０１３３】
また、本発明に係る画像形成装置においては、記憶部は、画像に施す画像処理の複数のパラメータを含むパラメータ群を複数記憶しており、受付部は、複数のパラメータ群から所要のパラメータ群を選択する指示を受け付けることが可能に構成されているから、銀塩写真フィルムを選択して画質を選択するように、パラメータ群を選択して指示することにより、そのパラメータ群によって実現される銀塩写真フィルムの画質を簡単に選択できる。
【０１３４】
また、本発明に係る画像形成装置においては、記憶部は、着脱可能に構成されているから、記憶部を、異なるパラメータ群が記憶された記憶部に交換することにより、パラメータ群の変更又は追加が簡単にできる。
【０１３５】
また、本発明に係る画像形成装置においては、記憶部は、画像入力装置に対応してパラメータ群が含むパラメータを補正する複数の入力補正パラメータ群を更に記憶しており、受付部は、複数の入力補正パラメータ群から所要の入力補正パラメータ群を選択する指示を更に受け付けることが可能に構成されているから、異なる画像入力装置によって撮影された画像でも、選択されたパラメータ群によって実現される銀塩写真フィルムの画質を変動させずに出力させることができる。
【０１３６】
また、本発明に係るコンピュータプログラムにおいては、コンピュータに、画像に施す画像処理の複数のパラメータを含む複数のパラメータ群から所要のパラメータ群を選択する指示を受け付けさせる手順と、コンピュータに、受け付けたパラメータ群が含むパラメータに基づいて画像に画像処理を施させる手順とを含むから、コンピュータ上において機能させることにより、銀塩写真フィルムを選択して画質を選択するように、パラメータ群を選択することにより、そのパラメータ群によって実現される銀塩写真フィルムの画質を簡単に選択できる。
【０１３７】
さらに、本発明に係るコンピュータプログラムにおいては、コンピュータに、画像入力装置に対応してパラメータ群が含むパラメータを補正する複数の入力補正パラメータ群から所要の入力補正パラメータ群を選択する指示を受け付けさせる手順と、コンピュータに、受け付けた入力補正パラメータ群に基づいてパラメータ群が含むパラメータを補正させる手順と、コンピュータに、画像形成装置に対応してパラメータ群が含むパラメータを補正する複数の出力補正パラメータ群から所要の出力補正パラメータ群を選択する指示を受け付けさせる手順と、コンピュータに、受け付けた出力補正パラメータ群に基づいてパラメータ群が含むパラメータを補正させる手順とを更に含むから、コンピュータ上において機能させることにより、画像入力装置及び画像形成装置の特性に左右されず、選択されたパラメータ群によって実現される銀塩写真フィルムの画質を変動させずに画像処理することができる。
【図面の簡単な説明】
【図１】本発明に係る画像入力装置であるデジタルスチルカメラの要部構成を示すブロック図である。
【図２】本発明に係るデジタルスチルカメラの外観を示す斜視図である。
【図３】表示部にカメラ機能の基本的な項目を表示させた場合（表示する全ての項目を点灯させた場合）の一例を示す図面である。
【図４】表示部にメニュー項目を表示させた場合の一例を示す図面である。
【図５】本実施の形態のデジタルスチルカメラにおける選択メニューの状態遷移図である。
【図６】メニューを変更した場合の画像処理の各パラメータに対する影響度を示した図表である。
【図７】「銘柄」及び「ＩＳＯ感度」の選択による画像処理の各パラメータの変化を模式的に示した図面である。
【図８】本実施の形態のデジタルスチルカメラにおける画像処理のメニュー選択の手順を示したフローチャートである。
【図９】本実施の形態のデジタルスチルカメラにおける撮像の手順を示したフローチャートである。
【図１０】本実施の形態のデジタルスチルカメラのメニュー項目である「画像呼び出し」における画像処理の手順を示したフローチャートである。
【図１１】本発明に係る画像形成装置であるプリンタの要部構成を示すブロック図である。
【図１２】本実施の形態のプリンタにおける選択メニューの状態遷移図である。
【図１３】本実施の形態のプリンタにおける画像処理のメニュー選択の手順を示したフローチャートである。
【図１４】本実施の形態のプリンタにおける画像処理のメニュー選択の手順を示したフローチャートである。
【図１５】本実施の形態のプリンタにおける印刷の手順を示したフローチャートである。
【図１６】画像処理装置として動作するパーソナルコンピュータの要部構成を示すブロック図である。
【図１７】本実施の形態の画像処理装置における選択メニューの状態遷移図である。
【図１８】本実施の形態の画像処理装置における画像処理のメニュー選択から変換、保存までの手順を示したフローチャートである。
【図１９】本実施の形態の画像処理装置における画像処理のメニュー選択から変換、保存までの手順を示したフローチャートである。
【図２０】本実施の形態の画像処理装置における画像処理のメニュー選択から変換、保存までの手順を示したフローチャートである。
【符号の説明】
１  デジタルスチルカメラ（画像入力装置）
２  プリンタ（画像形成装置）
１２−１，２２−１  ＲＡＭ（記憶部）
１３  撮像センサ（撮像部）
１７，２４  受付部
１８  画像形成部
ＰＧ  コンピュータプログラム
【図１】
2004179883.tif 000003
【図２】
2004179883.tif 000004
【図３】
2004179883.tif 000005
【図４】
2004179883.tif 000006
【図５】
2004179883.tif 000007
【図６】
2004179883.tif 000008
【図７】
2004179883.tif 000009
【図８】
2004179883.tif 000010
【図９】
2004179883.tif 000011
【図１０】
2004179883.tif 000012
【図１１】
2004179883.tif 000013
【図１２】
2004179883.tif 000014
【図１３】
2004179883.tif 000015
【図１４】
2004179883.tif 000016
【図１５】
2004179883.tif 000017
【図１６】
2004179883.tif 000018
【図１７】
2004179883.tif 000019
【図１８】
2004179883.tif 000020
【図１９】
2004179883.tif 000021
【図２０】
2004179883.tif 000022